(57)【特許請求の範囲】
【請求項１】
床下地材と、
その床下地材の上面に並べて設けられた板状の複数の制振材と、
それら複数の制振材の上面に敷設された床仕上げ材とを備える建物の床構造において、
前記各制振材はいずれも平面視にて長方形状をなしているとともに、平面視の形状及び大きさがいずれも同じとなっており、
前記床下地材と前記床仕上げ材との間には、前記制振材が配設されていない所定のスペースが存在しており、
前記スペースは、前記床仕上げ材の周縁部に沿って当該周縁部全域に亘って延びており、
前記スペースには、当該スペースの全域を埋めるようにして複数のスペーサが前記床仕上げ材の周縁部全域に亘って配設されていることを特徴とする建物の床構造。
【請求項２】
前記複数のスペーサのうち、前記床仕上げ材の所定の端辺部に沿って配置された前記スペーサは、前記端辺部の延びる方向に複数に分割されていることを特徴とする請求項１に記載の建物の床構造。
【請求項３】
前記制振材は、アスファルト系の制振シートと、その制振シートに重ねて設けられた緩衝材とを有して構成され、
前記床仕上げ材は、固定具が当該床仕上げ材と前記制振材とをそれぞれ貫通した状態で前記床下地材に打ち込まれることにより固定されていることを特徴とする請求項１又は２に記載の建物の床構造。
【請求項４】
前記床仕上げ材の周縁には内壁が設けられており、
前記内壁には、前記床仕上げ材の上面に沿って巾木が取り付けられており、
前記床下地材と前記床仕上げ材との間には、前記巾木に沿って前記スペーサが配設されていることを特徴とする請求項３に記載の建物の床構造。
【請求項５】
前記床仕上げ材は、複数のフローリング材が並設されることにより構成されており、
それら各フローリング材は、前記固定具が当該フローリング材と前記制振材とをそれぞれ貫通した状態で前記床下地材に打ち込まれることにより固定されており、
前記スペーサは、前記各フローリング材の下方にそれぞれ配設されていることを特徴とする請求項３又は４に記載の建物の床構造。
【発明の詳細な説明】
【技術分野】
【０００１】
本発明は、建物の床構造に関する。
【背景技術】
【０００２】
一般に、複数階建てからなる住宅等の建物では、上階からの床衝撃音を低減させるために、上階の床部が遮音床構造となっている。かかる遮音床構造としては、パーティクルボード等からなる床下地材と、その床下地材の上方に敷設されたフローリング等からなる床仕上げ材との間に、矩形板状の制振材を複数並設した構成が知られている（例えば特許文献１参照）。この場合、制振材としては、比重の大きいアスファルト系の制振板がよく用いられる。
【０００３】
制振材は、床下地材と床仕上げ材との間において基本的には原版（元寸法）のまま配設される。但し、原版のまま制振材を配設していくと、やがては制振材を配設するスペースが狭小となり、原版のままでは制振材を配設することができなくなる。そのため、そのような箇所に対しては、制振材を当該箇所の形状に合わせてカッター等を用いてカットし、そのカットした制振材を当該箇所に配設することになる。
【先行技術文献】
【特許文献】
【０００４】
【特許文献１】特開２０１２−８７５１４号公報
【発明の概要】
【発明が解決しようとする課題】
【０００５】
しかしながら、制振材はアスファルト等の硬い材料により形成されているため、制振材をカッター等を用いてカット（加工）する作業には大きな手間がかかることが想定される。
【０００６】
本発明は、上記事情に鑑みてなされたものであり、施工作業の容易化を図ることができる建物の床構造を提供することを主たる目的とするものである。
【課題を解決するための手段】
【０００７】
上記課題を解決すべく、第１の発明の建物の床構造は、床下地材と、前記床下地材の上方に敷設された床仕上げ材とを備え、前記床下地材と前記床仕上げ材との間には、板状の制振材が複数並べて設けられている建物の床構造において、前記床下地材と前記床仕上げ材との間には、前記制振材が配設されていない所定のスペースが存在しており、そのスペースには、当該スペースを埋めるようにしてスペーサが配設されていることを特徴とする。
【０００８】
本発明によれば、床下地材と床仕上げ材との間に制振材が配設されない所定のスペースが存在しており、そのスペースには当該スペースを埋めるスペーサが配設されている。かかる床構造では、各制振材を原版（元の寸法）のまま並べて配設するとともに、それによって生じる残りのスペースにスペーサを配設すればよい。そのため、加工が困難な制振材をカットする作業をしなくても済み、その結果施工作業の容易化を図ることが可能となる。
【０００９】
第２の発明の建物の床構造は、第１の発明において、前記スペーサは、前記床下地材と前記床仕上げ材との間において前記床仕上げ材の周縁部に沿って配設されていることを特徴とする。
【００１０】
床仕上げ材の床面（換言すると居住空間の床面）において周縁部は中央側と比べると、物が落下する等して衝撃音が発生する頻度が少ないと考えられる。そこで本発明では、この点に鑑みて、スペーサを床下地材と床仕上げ材との間において床仕上げ材の周縁部に沿って配設している。この場合、遮音性の低下を抑制しながら、第１の発明の効果を得ることが可能となる。
【００１１】
第３の発明の建物の床構造は、第２の発明において、前記スペーサは、前記床下地材と前記床仕上げ材との間において前記床仕上げ材の周縁部全域に亘って配設されていることを特徴とする。
【００１２】
本発明によれば、スペーサが床下地材と床仕上げ材との間において床仕上げ材の周縁部全域に亘って配設されている。この場合、スペーサが床仕上げ材の各端辺部に沿ってそれぞれ配設されるため、一の端辺部に配設されるスペーサの幅を小さくすることができる。これにより、床仕上げ材の床面に物が落下する等して衝撃音が発生する可能性をより低減させることができるため、遮音性の低下をより一層抑制することができる。
【００１３】
第４の発明の建物の床構造は、第１乃至第３のいずれかの発明において、前記制振材は、アスファルト系の制振シートと、その制振シートに重ねて設けられた緩衝材とを有して構成され、前記床仕上げ材は、固定具が当該床仕上げ材と前記制振材とをそれぞれ貫通した状態で前記床下地材に打ち込まれることにより固定されていることを特徴とする。
【００１４】
制振材には、アスファルト系の制振シートに緩衝材が重ねて設けられたものがある。緩衝材は、厚み方向（上下方向）への伸縮により床への衝撃を吸収するものである。このため、かかる緩衝材付きの制振材を用いることで遮音性（制振性）の向上を図ることが可能となる。
【００１５】
ここで、緩衝材付きの制振材を用いる場合には、床下地材と床仕上げ材との間に緩衝材（ひいては制振材）を介在させた状態で床仕上げ材を固定具（釘やビス等）により床下地材に固定することになるため、固定具の打ち込み過ぎにより、床仕上げ材が局所的に大きく沈みんで、床面（床仕上げ材の上面）に不陸が生じてしまうことが懸念される。その点本発明では、床下地材と床仕上げ材との間にスペーサが介在されているため、固定具の打ち込みに伴い床仕上げ材が沈み込み過ぎてしまうのを抑制することができる。そのため、緩衝材付きの制振材を用いる構成であっても、床面に不陸が生じるのを抑制することができる。
【００１６】
第５の発明の建物の床構造は、第４の発明において、前記床仕上げ材の周縁には内壁が設けられており、前記内壁には、前記床仕上げ材の上面に沿って巾木が取り付けられており、前記床下地材と前記床仕上げ材との間には、前記巾木に沿って前記スペーサが配設されていることを特徴とする。
【００１７】
本発明によれば、床下地材と床仕上げ材との間においてスペーサが内壁に取り付けられた巾木に沿って配設されている。この場合、内壁の壁際において床面上を歩行等しても、床仕上げ材が下方に沈み込むのを抑制することができる。そのため、かかる沈み込みにより床仕上げ材の上面と巾木の下端部との間に隙間が生じるのを抑制することができる。
【００１８】
第６の発明の建物の床構造は、第１乃至第５のいずれかの発明において、前記床仕上げ材は、複数のフローリング材が並設されることにより構成されており、それら各フローリング材は、前記固定具が当該フローリング材と前記制振材とをそれぞれ貫通した状態で前記床下地材に打ち込まれることにより固定されており、前記スペーサは、前記各フローリング材と前記床下地材との間にそれぞれ配設されていることを特徴とする。
【００１９】
本発明によれば、各フローリング材と床下地材との間にそれぞれスペーサが配設されているため、各フローリング材を固定具により床下地材に固定する際、それら各フローリング材が沈み込むのをそれぞれ抑制することができる。これにより、複数のフローリング材により床面が形成される構成において、床面に不陸が生じるのを好適に抑制することができる。
【００２０】
第７の発明の床構造の製造方法は、床梁上に床下地材を設置する床下地工程と、前記床下地材の上面に板状の制振材を複数並べて設置する制振材設置工程と、前記床下地材の上面において前記制振材が配設されない所定のスペースにスペーサを設置するスペーサ設置工程と、前記複数の制振材と前記スペーサとをそれぞれ上方から覆うようにして床仕上げ材を敷設するとともに、その床仕上げ材と前記制振材とをそれぞれ貫通した状態で固定具を前記床下地材に打ち込み、その固定具により当該床仕上げ材を前記床下地材に固定する床仕上げ工程と、を備えることを特徴とする。
【００２１】
本発明によれば、床構造を製造するに際して、まず床梁上に床下地材が設置され、その後、床下地材の上面に複数の制振材とスペーサとがそれぞれ並べて設置される。そして、その後、各制振材とスペーサとを上方から覆うようにして床仕上げ材が敷設され、その床仕上げ材が固定具により床下地材に固定される。
【００２２】
このような構成によれば、床下地材上に複数の制振材を並設するにあたって、床下地材上において制振材が配置されない隙間（スペース）が生じることが許容されるため、各制振材を原版（元の寸法）のまま並設することが可能となる。そして、それによって生じる上記のスペースにはスペーサを配設することで同スペースを埋めることができる。この場合、加工が困難な制振材をカットする作業をしなくて済むため、施工作業の容易化を図ることが可能となる。
【図面の簡単な説明】
【００２３】
【図１】二階部分の間取りを示す平面図。
【図２】建物ユニットの構成を示す斜視図。
【図３】寝室の床部の構成を示す縦断面図。
【図４】複数の制振材が並べて設けられた状態を示す平面図。
【図５】複数のフローリング材が並べて設けられた状態を示す平面図。
【図６】フローリング材を敷設する作業を説明するための図。
【図７】他の実施形態におけるスペーサの配設状態を示す平面図。
【図８】他の実施形態におけるスペーサの配設状態を示す平面図。
【発明を実施するための形態】
【００２４】
以下に、本発明を具体化した一実施の形態について図面を参照しつつ説明する。本実施形態では、本発明の建物の床構造を、複数の建物ユニットからなるユニット式建物において具体化している。また、本実施形態の建物は、一階部分と二階部分とを有する二階建てとなっている。図１は、二階部分の間取りを示す平面図である。
【００２５】
図１に示すように、建物１０の二階部分には、屋内空間として、２つの寝室１１，１２と、廊下１３と、収納室１４と、トイレ１５とが設けられている。寝室１１は、仕切壁１７により区画されている。仕切壁１７は、寝室１１を囲むようにして設けられ、寝室１１は、その仕切壁１７を挟んで廊下１３と隣接している。仕切壁１７には、寝室１１と廊下１３とを出入りするための出入口１８ａ，１８ｂが設けられている。出入口１８ａ，１８ｂは、横並びで２つ設けられており、それぞれの出入口１８ａ，１８ｂにドア１９ａ，１９ｂが設けられている。
【００２６】
仕切壁１７における各出入口１８ａ，１８ｂの境界部からは寝室１１に向けて小幅の仕切壁２８が延びている。寝室１１は、リフォームにより仕切壁２８を延長させることで２つの部屋に仕切ることが可能となっている。なお、仕切壁２８は寝室１１に設けられていなくてもよい。また、寝室１１には、仕切壁１７に隣接してベッド２９ａ，２９ｂが設けられている。
【００２７】
二階部分は、複数の建物ユニット２０が互いに連結されることにより構成されている。上記の屋内空間１１〜１５は、これら建物ユニット２０の内部空間により形成されている。これら屋内空間１１〜１５のうち、寝室１１は、隣り合う２つの建物ユニット２０の内部空間を利用して形成されている。
【００２８】
続いて、建物ユニット２０の構成について図２を用いながら簡単に説明する。図２は、建物ユニット２０の構成を示す斜視図である。
【００２９】
図２に示すように、建物ユニット２０は、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３０】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。天井小梁２５はリップ溝形鋼よりなり、床小梁２６は角形鋼よりなる。
【００３１】
次に、寝室１１の床部の構成について説明する。図３は、寝室１１の床部の構成を示す縦断面図である。なお、図３は、図１のＡ−Ａ線断面図に相当する。
【００３２】
図３に示すように、寝室１１の床部は、建物ユニット２０の床大梁２３上及び床小梁２６上に設けられた床下地材３１と、床下地材３１の上面に並べて設けられた複数の制振材３２と、それら複数の制振材３２の上面に敷設され寝室１１の床面３４を形成する床仕上げ材３３とを備える。
【００３３】
床下地材３１は、パーティクルボードにより形成されており、床大梁２３及び床小梁２６にビス等で固定されている。床下地材３１には、建物ユニット２０内に設けられたユニット下地材３１ａと、隣り合う建物ユニット２０の各ユニット下地材３１ａの間に設けられた繋ぎ下地材（図示略）とがある。なお、図２の符号３９は、床大梁２３と床下地材３１との間に設けられた根太である。
【００３４】
制振材３２は、制振シート３６（制振板）と、制振シート３６の片面に重ねて設けられたフェルト３７とを有して構成されている。制振材３２は、全体として矩形板状に形成されている。制振シート３６は、アスファルト系の制振シートよりなり、詳しくはアスファルトに酸化鉄粉を含ませてシート状に形成されている。フェルト３７は、制振シート３６の片面に積層され、その状態で制振シート３６に接着等により固定されている。
【００３５】
制振材３２は、制振シート３６を上側、フェルト３７を下側として、床下地材３１の上面に載置されている。フェルト３７は、厚み方向への伸縮性を有しており、制振材３２の載置状態において制振シート３６と床下地材３１との間で圧縮された状態とされている。なお、フェルト３７が「緩衝材」及び「伸縮材」に相当する。
【００３６】
制振材３２は、床下地材３１と床仕上げ材３３との間において複数並べて設けられている。図４は、それら複数の制振材３２が並べて設けられた状態を示す平面図である。図４に示すように、各制振材３２（詳しくは制振シート３６及びフェルト３７）はいずれも平面視において長方形状をなしており、その長辺の長さが短辺の長さの２倍となっている。詳しくは、各制振材３２は、平面視の形状及び大きさ（縦横寸法）がいずれも同じとなっており、より詳しくはその縦横寸法が原版のままの寸法（元寸法）となっている。
【００３７】
各制振材３２は、床下地材３１と床仕上げ材３３との間において升目状に並べて配置されている。各制振材３２の配置状態において、床下地材３１と床仕上げ材３３との間には、制振材３２が配設されていない所定のスペース４１が存在している。このスペース４１は、床仕上げ材３３（床面３４）の周縁部に沿って形成されており（延びており）、詳しくは床仕上げ材３３の周縁部全域に亘って連続して形成されている。つまり、このスペース４１は、床仕上げ材３３の各端辺部に沿ってそれぞれ形成されており（延びており）、それら各端辺部に沿って延びるスペーサ４２の幅はいずれも制振材３２の幅（短手方向の長さ）よりも小さくなっている。
【００３８】
上記スペース４１には、当該スペース４１を埋めるようにしてスペーサ４２が配設されている。スペーサ４２は、合板により形成されており、上記のスペース４１全域に亘って配設されている。スペーサ４２は、上記スペース４１が延びる方向に複数に分割されて設けられており、それら複数のスペーサ４２が上記スペース４１全域に亘るようにして配設されている。それらのスペーサ４２はいずれも同じ所定の厚みｔ１を有して長尺板状に形成されており、その厚みはフェルト３７が自然状態にある場合における制振材３２の厚みｔ３（制振シート３６の厚みとフェルト３７の厚みとの和）よりも小さくなっている（図６参照）。なお、スペーサ４２は、必ずしも合板により形成される必要はなく、パーティクルボードや硬質樹脂等、他の板材により形成されてもよい。
【００３９】
このように、床下地材３１と床仕上げ材３３との間には、複数の制振材３２が並設されているとともに、それら各制振材３２を囲むようにして複数のスペーサ４２が配設されている。
【００４０】
各制振材３２の上面と各スペーサ４２の上面とには床仕上げ材３３が敷設されている。床仕上げ材３３は、各制振材３２の上面（全域）及び各スペーサ４２の上面（全域）をそれぞれ上方から覆うようにして敷設されている。床仕上げ材３３は、複数のフローリング材３８が並べて設けられることにより構成されている。図５は、それら各フローリング材３８が並べて設けられた状態を示す平面図である。
【００４１】
図３及び図５に示すように、フローリング材３８は、木質系材料により長尺板状に形成されている。各フローリング材３８は、その長手方向を同じ方向に向けた状態で並べて配置されており、それらフローリング材３８により寝室１１の床面３４が形成されている。
【００４２】
隣り合うフローリング材３８は、互いの端面同士をはぎ合わせることにより結合されている。隣り合うフローリング材３８において互いに対向する各端面のうち、一方の端面には当該端面から突出する実部４５が設けられ、他方の端面には溝部４６が設けられている。溝部４６には実部４５が挿入されており、その挿入状態において溝部４６と実部４５とが互いに嵌合している。そして、かかる溝部４６と実部４５との嵌合により、隣り合うフローリング材３８同士が互いに接合されている。
【００４３】
各フローリング材３８は、床下地材３１に対して釘４８により固定されている。釘４８は、フローリング材３８の実部４５の根元部分に対して斜め上方から打ち込まれており、フローリング材３８及び制振材３２を貫通した状態で床下地材３１に打ち付けられている。この場合、フローリング材３８同士がはぎ合わされた状態で、釘４８が露出しないようになっている。また、釘４８は、一のフローリング材３８に対して複数箇所に打ち付けられている。なお、釘４８が固定具に相当する。
【００４４】
各フローリング材３８のうち、周縁部に配置されたフローリング材３８についてはその一部がスペーサ４２上に配置されている。それらのフローリング材３８については、一部の釘４８がフローリング材３８及びスペーサ４２を貫通した状態で床下地材３１に打ち付けられている。
【００４５】
各フローリング材３８が床下地材３１に固定された状態では、床下地材３１の上面とフローリング材３８の下面との間の間隔がスペーサ４２の厚みｔ１（上下寸法）と同じとなっている。この場合、制振材３２は、フェルト３７が厚み方向に圧縮されることで、その厚みｔ２がスペーサ４２の厚みｔ１と同じとなっている。このようにして、床下地材３１と各フローリング材３８（床仕上げ材３３）との間には、その全域に亘って制振材３２とスペーサ４２とがそれぞれ介在されている。
【００４６】
床下地材３１上において床仕上げ材３３の周縁部には内壁材５１が設けられている。内壁材５１は、石膏ボードよりなり、その下端部が床下地材３１の上面に載置された状態で設けられている。内壁材５１は、仕切壁１７において寝室１１側を構成しており、「内壁」に相当する。内壁材５１は、各スペーサ４２（及び各制振材３２）と、床仕上げ材３３（各フローリング材３８）とを囲むようにして設けられている。内壁材５１の壁際に配置されたスペーサ４２及びフローリング材３８については、内壁材５１の内面（寝室１１側の壁面）に突き当てられた状態で配設されている。
【００４７】
内壁材５１の内面（寝室１１側の面）には、床仕上げ材３３の上面に沿って巾木５２が取り付けられている。巾木５２は、その下端部が床仕上げ材３３の上面に当接した状態で内壁材５１の幅方向に沿って延びている。また、床仕上げ材３３を挟んで巾木５２の下方にはスペーサ４２が配設されており、そのスペーサ４２は巾木５２に沿って延びている。
【００４８】
次に、寝室１１の床部を構築する際の作業の流れについて説明する。
【００４９】
まず、寝室１１を構成する各建物ユニット２０の床梁２３，２６上に床下地材３１を設置する床下地材工程を行う。この工程では、床下地材３１のうち、ユニット下地材３１ａについてはユニット製造工場にて各建物ユニット２０の床梁２３，２６上に組み付ける。一方、繋ぎ下地材については施工現場にて各建物ユニット２０を設置後、それら各建物ユニット２０の隣接する床大梁２３上に組み付ける。
【００５０】
なお、寝室１１の周囲に設けられる仕切壁１７についても、各建物ユニット２０内に設けられる壁部分についてはユニット製造工場にて各建物ユニット２０に組み付け、各建物ユニット２０を跨いで設けられる壁部分については施工現場にて建物ユニット２０に組み付ける。
【００５１】
次に、床下地材３１の上面に制振材３２を設置する制振材設置工程と、床下地材３１の上面にスペーサ４２を設置するスペーサ設置工程とを行う。制振材設置工程では、各制振材３２をそれぞれ原版（元の寸法）のまま配設する。また、スペーサ設置工程では、各スペーサ４２をそれぞれ床下地材３１上における上記所定のスペース４１に配設する。これらの工程では、例えば、まず各スペーサ４２をそれぞれ床下地材３１上に設置し、その後各制振材３２をそれぞれ床下地材３１上に設置する。但し、これとは逆に、まず各制振材３２をそれぞれ床下地材３１上に設置し、それから各スペーサ４２をそれぞれ床下地材３１上に設置してもよい。また、制振材３２とスペーサ４２とを交互に設置してもよく、要するに、各制振材３２と各スペーサ４２との設置順序は任意であってよい。
【００５２】
次に、制振材３２（制振シート３６）の上面とスペーサ４２の上面とにフローリング材３８を敷設するとともに、それら各フローリング材３８を釘４８により床下地材３１に固定する床仕上げ工程を行う。この工程では、まず各フローリング材３８のうち、周縁部に配置されるフローリング材３８、換言するとその一部がスペーサ４２上に配置されるフローリング材３８を敷設する。図６には、その敷設作業の様子が示されている。
【００５３】
図６（ａ）に示すように、フローリング材３８が制振材３２上及びスペーサ４２上に配設される前はフェルト３７が自然状態（非圧縮状態）にあるため、制振材３２の厚みｔ３がスペーサ４２の厚みｔ１よりも大きくなっている。そして、この状態において、フローリング材３８を、図６（ｂ）に示すように、制振材３２の上面及びスペーサ４２の上面に跨がって配設する。具体的にはまず、フローリング材３８を、スペーサ４２の上面よりも高い位置にある制振材３２の上面に載せ、その状態でフローリング材３８を下方に向けて押圧する。これにより、制振材３２のフェルト３７が床下地材３１とフローリング材３８との間で圧縮され、その結果制振材３２の厚みｔ２がスペーサ４２の厚みｔ１と同じになって、フローリング材３８が制振材３２の上面とスペーサ４２の上面とにそれぞれ載置された状態となる。また、この場合、フローリング材３８は、内壁材５１に突き当てた状態で配設する。
【００５４】
続いて、かかるフローリング材３８の載置状態で、フローリング材３８を釘４８により床下地材３１に固定する作業を行う。この作業では、釘４８をフローリング材３８と制振材３２とをそれぞれ貫通させて床下地材３１に打ち込む。この場合、フローリング材３８の下方にはスペーサ４２が設けられているため、フローリング材３８と床下地材３１との間にフェルト３７が介在する構成にあっても、釘４８の打ち込みに伴いフローリング材３８が下方へ沈み込むのを抑制することができる。このようにして、（周縁部の）フローリング材３８の床面３４高さが所定の高さに規定される。
【００５５】
次に、先付けしたフローリング材３８の隣に新たなフローリング材３８を設置する作業を行う。この設置に際しては、先付けしたフローリング材３８の溝部４６（実部４５）に後付けのフローリング材３８の実部４５（溝部４６）を嵌合させ、両フローリング材３８を互いにはぎ合わせる。そして、上記先付けしたフローリング材３８を床下地材３１に固定する場合と同じ要領で、後付けのフローリング材３８を釘４８により床下地材３１に固定する。この固定に際しては、先付けしたフローリング材３８の床面３４高さが既に所定の高さに規定されているため、後付けのフローリング材３８の床面３４高さがその所定高さとなるように、フローリング材３８を釘４８により固定する。
【００５６】
このようにして、残りのフローリング材３８についても順次制振材３２上に設置し床下地材３１に固定していく。これにより、床仕上げ材３３が敷設される。
【００５７】
以上、詳述した本実施形態の構成によれば、以下の優れた効果が得られる。
【００５８】
床下地材３１と床仕上げ材３３との間に制振材３２が配設されない所定のスペース４１を設定し、そのスペース４１には当該スペース４１を埋めるスペーサ４２を配設した。かかる構成によれば、各制振材３２を原版（元の寸法）のまま並べて配設するとともに、それによって生じる残りのスペース４１にスペーサ４２を配設すればよい。そのため、加工が困難な制振材３２をカットする作業をしなくても済み、その結果施工作業の容易化を図ることが可能となる。
【００５９】
床下地材３１と床仕上げ材３３との間において上記所定のスペース４１を床仕上げ材３３の周縁部に沿って形成し、そのスペース４１に対してスペーサ４２を配設した。床仕上げ材３３の床面３４（換言すると寝室１１の床面）において周縁部は中央側と比べると、物が落下する等して衝撃音が発生する頻度が少ないと考えられるため、かかる構成とすることで、遮音性の低下を抑制しながら、施工作業の容易化を図ることができる。
【００６０】
具体的には、上記所定のスペース４１を床仕上げ材３３の周縁部全域に亘って形成し、そのスペース４１全域にスペーサ４２を配設した。この場合、スペーサ４２が床仕上げ材３３の各端辺部に沿ってそれぞれ配設されるため、一の端辺部に配設されるスペーサ４２の幅を小さくすることができる。これにより、床仕上げ材３３の床面３４に物が落下する等して衝撃音が発生する可能性をより低減させることができるため、遮音性の低下をより一層抑制することができる。
【００６１】
制振材３２として、アスファルト系の制振シート３６にフェルト３７を重ねて設けたものを用いたため、遮音性（制振性）の向上を図ることが可能となる。また、このようなフェルト付きの制振材３２を用いた構成にあって、床下地材３１と床仕上げ材３３（フローリング材３８）との間にスペーサ４２を介在させたため、床仕上げ材３３を釘４８により床下地材３１に固定するにあたって、釘４８の打ち込みに伴い床仕上げ材３３が沈み込み過ぎてしまうのを抑制することができる。そのため、床面３４に不陸が生じるのを抑制することができる。
【００６２】
また、フェルト付きの制振材３２では、制振材３２をカットするにあたり、制振シート３６だけでなくフェルト３７についてもカッター等でカット（加工）する必要がある。そのため、かかる制振材３２を加工する場合には、その手間が大きくなることが考えられる。その点、かかる制振材３２を加工せずに済むようにしたことで、施工作業を容易とする上述の効果を大きな効果として得ることができる。
【００６３】
スペーサ４２を、床下地材３１と床仕上げ材３３との間において内壁材５１（仕切壁１７）に沿って配設した。この場合、スペーサ４２が内壁材５１に取り付けられた巾木５２に沿って配設されるため、内壁材５１の壁際において床面３４上を歩行等しても、床仕上げ材３３が下方に沈み込むのを抑制することができる。そのため、かかる沈み込みにより床仕上げ材３３の上面と巾木５２の下端部との間に隙間が生じるのを抑制することができる。
【００６４】
また、床面３４上において内壁材５１（仕切壁１７）の壁際には、ベッド２９ａ，２９ｂ等の家具類が設置されることが多いため、その家具類の重みによって床面３４が沈み込んでしまうことが懸念されるが、上記のようにスペーサ４２を内壁材５１に沿って配設することで、かかる沈み込みについても抑制することができる。
【００６５】
本発明は上記実施形態に限らず、例えば次のように実施されてもよい。
【００６６】
（１）上記実施形態では、スペーサ４２を、床下地材３１と床仕上げ材３３との間において、床仕上げ材３３の周縁部全域に亘って配設したが、これを変更して、周縁部の一部にのみ配設してもよい。換言すると、上記実施形態では、スペーサ４２を床仕上げ材３３の各端辺部それぞれに沿って配設したが、これを変更して、床仕上げ材３３の各端辺部のうち一部の端辺部に沿って（のみ）配設してもよい。この場合、例えば、スペーサ４２を床仕上げ材３３の各端辺部のうち互いに直交する２つの端辺部にのみ配設することが考えられる。
【００６７】
（２）スペーサを、床下地材３１と床仕上げ材３３との間において床仕上げ材３３の周縁部以外の部分に配設してもよい。例えば図７では、床下地材３１と床仕上げ材３３との間に、上記スペーサ４２に加えて、スペーサ５５が配設されており、そのスペーサ５５が床仕上げ材３３の周縁部以外の部分に配設されている。スペーサ５５は、スペーサ４２と同じ厚みを有する長尺板材よりなり、フローリング材３８と直交する向きでフローリング材３８の長手方向に沿って所定の間隔で複数（具体的には３つ）配置されている。また、各スペーサ５５はそれぞれ、床仕上げ材３３において互いに対向する各端辺部に配置された両スペーサ４２に跨がるように配置されている。
【００６８】
各スペーサ５５と、それらスペーサ５５の並ぶ並び方向（換言するとフローリング材３８の長手方向）において各スペーサ５５を挟んで両側に配置されている各スペーサ４２とは、上記並び方向に沿って所定の間隔（詳しくは等間隔）で配置されている。この場合、隣り合うスペーサ４２，５５同士の間隔はフローリング材３８の長さよりも小さくなっており、詳しくはフローリング材３８の長さの半分程度となっている。また、この間隔は、制振材３２の長さ（長手方向の長さ）と同じとなっており、各制振材３２は、隣り合うスペーサ４２，５５間において原版のままの寸法で配設されている。
【００６９】
上記のように各スペーサ５５が配設されていることで、各フローリング材３８の下方にはそれぞれ少なくとも一のスペーサ４２，５５が配置されている。この場合、各フローリング材３８を釘４８により床下地材３１に固定する際、それら各フローリング材３８が下方へ沈み込むのをそれぞれ抑制することができる。このため、それらフローリング材３８により床面３４が形成される構成において、床面３４に不陸が生じるのを好適に抑制することができる。
【００７０】
（３）床面３４に不陸が生じるのを抑制する観点からすれば、スペーサを、床下地材３１と床仕上げ材３３との間において点在するように配置してもよい。例えば図８では、床下地材３１と床仕上げ材３３との間において、上記各スペーサ４２に加えて、上記各スペーサ４２により囲まれた内側領域に複数（具体的には５つ）のスペーサ５６が点在して配置されている。それらのスペーサ５６は、スペーサ４２と同じ厚みを有する矩形板状（詳しくは正方形板状）に形成されており、その大きさが制振材３２よりも小さくされている。各スペーサ５６は、３つのフローリング材３８が隣接（集合）する隣接部にそれぞれ配設され、その隣接部において３つのフローリング材３８に跨がるように配置されている。
【００７１】
かかる構成によれば、上記隣接部を構成する３つのフローリング材３８がそれぞれ沈み込むのを抑制することができるため、床面３４に不陸が生じるのをより一層抑制することができる。ただ、上記の構成では、制振材３２に、スペーサ５６を配設するための切り欠きや孔等を形成する必要があるため、制振材３２を敷設するに際し制振材３２をカット（加工）する作業が発生しうる。
【００７２】
（４）上記実施形態では、制振材３２として、制振シート３６の片面にフェルト３７が積層されたものを用いたが、制振シート３６の両面にフェルト３７が積層されたものを用いてもよい。また、緩衝材としては、必ずしもフェルト３７を用いる必要はなく、不織布等他の緩衝材を用いてもよい。
【００７３】
また、制振材３２としては、必ずしもフェルト付きのものを用いる必要はなく、フェルトの付いていないタイプのもの、すなわち制振シートのみからなるものを用いてもよい。この場合にも、加工が困難な制振シートをカットする作業を不要とできるため、施工作業の容易化を図ることができる。
【００７４】
（５）上記実施形態では、床仕上げ材３３が複数のフローリング材３８により構成されていたが、例えば床仕上げ材が複数のタイルにより構成されている等、他の構成であってもよい。
【００７５】
（６）上記実施形態では、二階部分における寝室１１の床部に本発明の床構造を適用したが、これに代えて又は加えて、寝室１１の床部に本発明の床構造を適用してもよい。また、寝室１１，１２等の居室の床部に限らず、収納室１４等の非居室の床部に本発明の床構造を適用してもよい。
【００７６】
上記実施形態では、建物における二階部分の床部に本発明の床構造を適用したが、三階建て以上の建物における三階部分以上の床部に本発明を適用してもよい。また、上記実施形態では、ユニット式建物への適用例を説明したが、鉄骨軸組工法により構築される建物等、他の構造の建物にも本発明を適用できる。
【符号の説明】
【００７７】
１０…建物、２０…建物ユニット、２３…床梁としての床大梁、２６…床梁としての床小梁、３１…床下地材、３２…制振材、３３…床仕上げ材、３６…制振シート、３７…緩衝材としてのフェルト、３８…フローリング材、４１…スペース、４２…スペーサ、４８…固定具としての釘、５１…内壁としての内壁材、５２…巾木。
【図１】
0006637238.tif 000002
【図２】
0006637238.tif 000003
【図３】
0006637238.tif 000004
【図４】
0006637238.tif 000005
【図５】
0006637238.tif 000006
【図６】
0006637238.tif 000007
【図７】
0006637238.tif 000008
【図８】
0006637238.tif 000009